(57)【要約】【課題】制御盤等の筐体内に侵入した水の排水を行なうことができ、筐体内に異物が侵入し難いグロメットを得ること。【解決手段】筐体壁５に設けられたケーブル挿通孔５ａより大きい外径を有し、中央部に、挿通されるケーブル６に密着するケーブル導入部８、１ｄが形成され、前記ケーブル挿通孔に装着される弾性体からなるグロメット１であって、前記弾性体のケーブル導入部の外側に、前記筐体の内部１０と外部１１とを連通させる水抜路２、３を形成した。【選択図】        図２−２
2007068382.tif 000002
【特許請求の範囲】
【請求項１】
筐体壁に設けられたケーブル挿通孔より大きい外径を有し、中央部に、挿通されるケーブルに密着するケーブル導入部が形成され、前記ケーブル挿通孔に装着される弾性体からなるグロメットであって、
前記弾性体のケーブル導入部の外側に、前記筐体の内部と外部とを連通させる水抜路を形成したことを特徴とするグロメット。
【請求項２】
前記弾性体は、所定の厚さを有する盤状に形成され、外周部に形成されたリング状溝が前記ケーブル挿通孔を形成する筐体壁に嵌合され、前記水抜路は、外周部の少なくとも１ヶ所に形成され、前記リング状溝よりも深さと幅が大きい穴と、該穴内を区画する前記筐体壁とにより形成されていることを特徴とする請求項１に記載のグロメット。
【請求項３】
前記水抜路は、前記弾性体に形成された孔であることを特徴とする請求項１に記載のグロメット。
【請求項４】
前記弾性体のケーブル導入部には、円形に切抜かれて前記ケーブルに密着する薄肉部が形成されていることを特徴とする請求項１〜３のいずれか１つに記載のグロメット。
【発明の詳細な説明】
【技術分野】
【０００１】
本発明は、電線ケーブルや光ファイバーケーブル等が貫通する配線盤、配電盤、制御盤（ホイスト制御盤）等の筺体壁のケーブル挿通孔に装着してケーブルを絶縁、保護し、また、ケーブル挿通用の予備孔に取付けて予備孔を塞ぐグロメットに関するものである。本明細書において、「ケーブル挿通孔」とは、「ケーブル挿通用の予備孔」を含むものとする。
【背景技術】
【０００２】
従来のケーブル用グロメットとして、導入ケーブルの導入部分に対応した表面に、導入ケーブルの太さに対応した径の円状切込用溝と切込円状部分とを形成し、ケーブルの径に対応した円状切込用溝に切込みを入れて切込円状部分をくり抜き、ケーブル導入開口にケーブルを導入するものがある（たとえば、特許文献１参照）。
【０００３】
【特許文献１】特開２００４−０９６９６４号公報
【発明の開示】
【発明が解決しようとする課題】
【０００４】
しかしながら、上記従来のケーブル用グロメットによれば、グロメットが制御盤等の筐体に設けられたケーブル挿通孔に装着され、切込円状部分がくり抜かれてケーブルが導入されているときも、切込円状部分がくり抜かれずにケーブルが導入されていないときも、グロメットには、筐体の内部と外部とを連通させる隙間がないので、筐体内に水が侵入して筐体の底に溜まっても、排水することができないという問題があった。
【０００５】
また、切込円状部分をくり抜き、ケーブルを導入させないグロメットを筐体に装着したり、筐体のケーブル挿通孔にグロメット装着せずに、そのまま排水孔にすれば、排水をすることはできるが、ケーブル挿通孔から筐体内に異物や粉塵が侵入しやすく、制御盤等の内部機器に悪影響を及ぼすという問題があった。
【０００６】
本発明は、上記に鑑みてなされたものであって、筐体内に侵入した水の排水を行なうことができ、筐体内に異物や粉塵が侵入し難いグロメットを得ることを目的とする。
【課題を解決するための手段】
【０００７】
上述した課題を解決し、目的を達成するために、本発明は、筐体壁に設けられたケーブル挿通孔より大きい外径を有し、中央部に、挿通されるケーブルに密着するケーブル導入部が形成され、前記ケーブル挿通孔に装着される弾性体からなるグロメットであって、前記弾性体のケーブル導入部の外側に、前記筐体の内部と外部とを連通させる水抜路を形成したことを特徴とする。
【発明の効果】
【０００８】
この発明によれば、筐体内に侵入した水の排水を行なうことができ、筐体内に異物や粉塵が侵入し難いグロメットが得られる、という効果を奏する。
【発明を実施するための最良の形態】
【０００９】
以下に、本発明にかかるグロメットの実施の形態を図面に基づいて詳細に説明する。なお、この実施の形態によりこの発明が限定されるものではない。
【００１０】
実施の形態１．
図１−１は、本発明にかかるグロメットの実施の形態１の平面図であり、図１−２は、図１−１のＡ−Ａ線に沿う断面図であり、図１−３は、図１−１のＢ−Ｂ線に沿う断面図である。
【００１１】
図１−１〜図１−３に示すように、実施の形態１のグロメット１は、配線盤、配電盤、制御盤等の筺体壁としての底板５に設けられたケーブル挿通孔５ａに装着され、ケーブル挿通孔５ａを塞いでいる。
【００１２】
グロメット１は、ゴムや樹脂等の弾性体で所定の厚さに形成され、ケーブル挿通孔５ａより外径が大きく、筐体の内部１０側に配置される円形の盤状部１ａと、盤状部１ａに一端が接続し、ケーブル挿通孔５ａに挿入される筒状部１ｂと、筒状部１ｂの他端に接続し、筐体の底板５を挟んで盤状部１ａと対向し、筐体の外部１１に配置される円形の第２の盤状部１ｃと、を有している。盤状部１ａの下面と筒状部１ｂの外周面と第２の盤状部１ｃの上面とで囲まれる部分は、ケーブル挿通孔５ａを形成する底板５に嵌合されるリング状溝となっている。
【００１３】
グロメット１の中央部には、ケーブル導入部としての円形穴８が形成され、円形穴８の天上部となる盤状部１ａの中央部に、円形に切抜かれて挿通されるケーブルに密着する薄肉部１ｄが形成されている。
【００１４】
盤状部１ａの中心を挟んで対向する２ヶ所には、盤状部１ａの外周部に開口する水抜路２（水抜溝３）としての放射状の水抜溝３ａが形成され、筒状部１ｂには、盤状部１ａの水抜溝３ａのそれぞれに連通するケーブル軸方向の水抜路２（水抜溝３）としての水抜溝３ｂが形成され、第２の盤状部１ｃの中心を挟んで対向する２ヶ所には、筒状部１ｂの水抜溝３ｂにそれぞれ連通し、第２の盤状部１ｃの外周部に開口する水抜路２（水抜溝３）としての放射状の水抜溝３ｃが形成されている。
【００１５】
水抜溝３ａ、３ｂ、３ｃが互いに連通され、底板５によって区画され、筐体の内部１０と外部１１とを連通させる水抜路２（水抜溝３）を形成している。水抜溝３ａ、３ｂ、３ｃは、互いに直角に曲折させて形成されている。なお、水抜溝３ｃは、放射状の溝に形成せずに、ケーブル軸方向の孔として形成してもよい。
【００１６】
すなわち、実施の形態１のグロメット１は、筐体壁としての底板５に設けられたケーブル挿入孔より大きい外径を有し、中央部に、挿通されるケーブルに密着するケーブル導入部（円形穴８及び薄肉部１ｄ）が形成され、弾性体（グロメット１）のケーブル導入部の外側に筐体の内部１０と外部１１とを連通させる水抜路（水抜溝３ａ、３ｂ、３ｃ）が形成されている。
【００１７】
また、実施の形態１のグロメット１（弾性体）は、全体として、所定の厚さを有する盤状に形成され、外周部に形成されたリング状溝（図１−３参照）がケーブル挿通穴５ａを形成する筐体壁（底板）５に嵌合され、水抜路（水抜溝３ａ、３ｂ、３ｃ）は、外周部の少なくとも１ヶ所に形成され、リング状溝よりも深さと幅が大きい穴（図１−２参照、水抜溝３ａ＋３ｂ＋３ｃ）と、該穴内を区画する筐体壁（底板５）とにより形成されている。
【００１８】
上記のように形成された実施の形態１のグロメット１は、筐体内に侵入した水９が底板５上に溜まると、水抜溝３ａ、３ｂ、３ｃを通して水９を排水する。水抜溝３ａが底板５ａと面一となっているので、底板５に溜まる水位が低いうちに排水を行なうことができる。また、水抜溝３ａ、３ｂ、３ｃが互いに曲折しているので、筐体内に異物７や粉塵等が侵入し難い。
【００１９】
実施の形態２．
図２−１は、本発明にかかるグロメットの実施の形態２の平面図であり、図２−２は、図２−１のＣ−Ｃ線に沿う断面図である。
【００２０】
図２−１及び図２−２に示すように、実施の形態２のグロメット１は、筺体の底板５のケーブル挿通孔５ａに装着され、盤状部１ａの薄肉部１ｄが円形に切抜かれてケーブル６が挿通されている。他の部分は、図１−１〜図１−３に示す実施の形態１のグロメット１と同等であるので、その構造の詳細な説明は省略する。
【００２１】
上記のように形成された実施の形態２のグロメット１は、筐体内に侵入した水９が底板５上に溜まると、水抜溝３ａ、３ｂ、３ｃを通して水９を排水する。水抜溝３ａが底板５ａと面一となっているので、底板５に溜まる水位が低いうちに排水を行なうことができる。また、水抜溝３ａ、３ｂ、３ｃが互いに曲折しているので、筐体内に異物７や粉塵等が侵入し難い。
【００２２】
なお、グロメット１に挿通されるケーブル６の径が同じ直径に統一されているときは、円形穴８の径をケーブル６の径と略同一とし、薄肉部１ｄを無くしてもよい。
【００２３】
実施の形態３．
図３−１は、本発明にかかるグロメットの実施の形態３の平面図であり、図３−２は、図３−１のＤ−Ｄ線に沿う断面図である。
【００２４】
図３−１及び図３−２に示すように、実施の形態３のグロメット３１は、筺体の底板５のケーブル挿通孔５ａに装着され、盤状部１ａの薄肉部１ｄが円形に切抜かれてケーブル６が挿通されている。
【００２５】
グロメット３１は、ゴムや樹脂等の弾性体で所定の厚さに形成され、ケーブル挿通孔５ａより外径が大きく、筐体の内部１０側に配置される円形の盤状部１ａと、盤状部１ａに一端が接続し、ケーブル挿通孔５ａに挿入される筒状部１ｂと、筒状部１ｂの他端に接続し、筐体の底板５を挟んで盤状部１ａと対向し、筐体の外部１１に配置される円形の第２の盤状部１ｃと、を有している。盤状部１ａの下面と筒状部１ｂの外周面と第２の盤状部１ｃの上面とで囲まれる部分は、ケーブル挿通孔５ａを形成する底板５に嵌合されるリング状溝となっている。
【００２６】
グロメット３１の中央部には、ケーブル導入部としての円形穴８が形成され、円形穴８の天上部となる盤状部１ａの中央部に、円形に切抜かれて挿通されるケーブルに密着する薄肉部１ｄが形成されている。
【００２７】
盤状部１ａの中心を挟んで対向する２ヶ所には、盤状部１ａの外周部に開口する水抜路２（水抜孔４）としての放射状の水抜孔４ａが形成され、筒状部１ｂには、盤状部１ａの水抜孔４ａのそれぞれに連通するケーブル軸方向の水抜路２（水抜孔４）としての水抜孔４ｂが形成され、第２の盤状部１ｃの中心を挟んで対向する２ヶ所には、筒状部１ｂの水抜孔４ｂにそれぞれ連通し、第２の盤状部１ｃの外周部に開口する水抜路２（水抜孔４）としての放射状の水抜孔４ｃが形成されている。
【００２８】
水抜孔４ａ、４ｂ、４ｃが互いに連通され、筐体の内部１０と外部１１とを連通させる水抜路２（水抜孔４）を形成している。水抜孔４ａ、４ｂ、４ｃは、互いに直角に曲折させて形成されている。なお、水抜孔３ｃは、放射状の孔に形成せずに、ケーブル軸方向の孔として形成してもよい。また、グロメット３１に挿通されるケーブル６の径が同じ直径に統一されているときは、円形穴８の径をケーブル６の径と略同一とし、薄肉部１ｄを無くしてもよい。
【００２９】
すなわち、実施の形態３のグロメット３１は、筐体壁としての底板５に設けられたケーブル挿入孔５ａより大きい外径を有し、中央部に、挿通されるケーブル６に密着するケーブル導入部（円形穴８及び薄肉部１ｄ）が形成され、弾性体（グロメット３１）のケーブル導入部の外側に筐体の内部１０と外部１１とを連通させる水抜路（水抜孔４）が形成されている。
【００３０】
上記のように形成された実施の形態３のグロメット３１は、筐体内に侵入した水９が底板５上に溜まると、水抜孔４ａ、４ｂ、４ｃを通して水９を排水する。また、水抜孔４ａ、４ｂ、４ｃが互いに曲折しているので、筐体内に異物７や粉塵等が侵入し難い。
【００３１】
実施の形態４．
図４−１は、本発明にかかるグロメットの実施の形態４の平面図であり、図４−２は、図４−１のＥ−Ｅ線に沿う断面図である。
【００３２】
図４−１及び図４−２に示すように、実施の形態４のグロメット４１は、筺体の底板５のケーブル挿通孔５ａに接着等により装着され、盤状部１ａの薄肉部１ｄが円形に切抜かれてケーブル６が挿通されている。実施の形態４のグロメット４１は、実施の形態１〜３のグロメット１、３１が有している第２の盤状部１ｃを有していない。他の部分は、図１−１〜図２−２に示す実施の形態１、２のグロメット１と同等であるので、その構造の詳細な説明は、省略する。
【００３３】
上記のように形成された実施の形態４のグロメット４１は、筐体内に侵入した水９が底板５上に溜まると、水抜溝３ａ、３ｂを通して水９を排水する。また、水抜溝３ａ、３ｂが互いに曲折しているので、筐体内に異物７や粉塵等が侵入し難い。
【００３４】
なお、グロメット４１に挿通されるケーブル６の径が同じ直径に統一されているときは、円形孔８の径をケーブル６の径と略同一とし、薄肉部１ｄを無くしてもよい。また、実施の形態４のグロメット４１の筒状部１ｂを削除してしまってもよい。また、実施の形態１〜４のグロメットにおいて、盤状部１ａの放射状溝３ａ又は放射状孔４ａをストレートに円形穴８に連通させ、他の水抜路を無くしてもよい。
【産業上の利用可能性】
【００３５】
以上のように、本発明にかかるグロメットは、筐体内に水が侵入するおそれのある配線盤、配電盤、制御盤等に装備されるグロメットとして有用である。
【図面の簡単な説明】
【００３６】
【図１−１】本発明にかかるグロメットの実施の形態１の平面図である。
【図１−２】図１−１のＡ−Ａ線に沿う断面図である。
【図１−３】図１−１のＢ−Ｂ線に沿う断面図である。
【図２−１】本発明にかかるグロメットの実施の形態２の平面図である。
【図２−２】図２−１のＣ−Ｃ線に沿う断面図である。
【図３−１】本発明にかかるグロメットの実施の形態３の平面図である。
【図３−２】図３−１のＤ−Ｄ線に沿う断面図である。
【図４−１】本発明にかかるグロメットの実施の形態４の平面図である。
【図４−２】図４−１のＥ−Ｅ線に沿う断面図である。
【符号の説明】
【００３７】
１、３１、４１  グロメット
１ａ  盤状部
１ｂ  筒状部
１ｃ  第２の盤状部
１ｄ  薄肉部（ケーブル導入部）
２  水抜路
３、３ａ、３ｂ、３ｃ  水抜溝
４、４ａ、４ｂ、４ｃ  水抜孔
５  底板（筐体壁）
５ａ  ケーブル挿通孔
６  ケーブル
７  異物
８  円形穴（ケーブル導入部）
９  水
１０  筐体の内部
１１  筐体の外部
【図１−１】
2007068382.tif 000003
【図１−２】
2007068382.tif 000004
【図１−３】
2007068382.tif 000005
【図２−１】
2007068382.tif 000006
【図２−２】
2007068382.tif 000007
【図３−１】
2007068382.tif 000008
【図３−２】
2007068382.tif 000009
【図４−１】
2007068382.tif 000010
【図４−２】
2007068382.tif 000011